(57)【要約】【課題】蒸発器表面の凝縮水の蒸発による臭いの悪化を最小限に抑えつつ、ユーザが意図する車室内空間への外気導入を実行することができる車両用空調装置を提供する。【解決手段】ユーザによって吸込口モードスイッチが操作されて内気モードから外気モードへの切り替えが選択された場合に、空調制御装置は、外気導入率が５０％である半内気モードを蒸発器表面が凝縮水で濡れている状態から乾いた状態となるまで実行し、蒸発器表面が乾いた後に、外気導入率が１００％の外気モードを実行する。【選択図】図４
2015196450.tif 000002
【特許請求の範囲】
【請求項１】
内気を導入する内気導入口（２１）および外気を導入する外気導入口（２２）を有し、内部に空気通路が形成されたケーシング（１１）と、
前記ケーシング内に配置され、前記内気導入口と前記外気導入口の少なくとも一方からケーシング内に導入された空気と冷媒とを熱交換させて、冷媒を蒸発させるとともに空気を冷却する蒸発器（１３）と、
前記内気導入口および前記外気導入口から前記ケーシング内に導入される空気全体に対する外気の風量割合である外気導入率を変化させて内外気モードを切り替える切替装置（２３）と、
前記切替装置の作動を制御する制御手段（５０）と、
ユーザによって操作され、前記ケーシング内に内気を導入する内気モードから前記ケーシング内に外気を導入する外気モードへの切り替えを選択する操作部（６０ｃ）とを備え、
前記制御手段は、前記操作部が操作されて前記内気モードから前記外気モードへの切り替えが選択された場合に、前記外気導入率が前記内気モードよりも高い第１外気モードと前記外気導入率が前記第１外気モードよりも高い第２外気モードのうち、前記第１外気モードを、前記蒸発器表面が凝縮水で濡れている状態から乾いた状態となるまで実行し、前記蒸発器表面が乾いた後に、前記第２外気モードを実行することを特徴とする車両用空調装置。
【請求項２】
前記制御手段は、前記第２外気モードを、前記蒸発器表面が凝縮水で濡れている状態が維持される期間内に実行した後、前記第１外気モードを、前記蒸発器表面が乾いた状態となるまで実行することを特徴とする請求項１に記載の車両用空調装置。
【請求項３】
前記ケーシングは、車両前面窓ガラスに向けて空気を吹き出すデフロスタ吹出口（２６）および乗員の足元に向けて空調空気を吹き出すフット吹出口（２５）を含む複数の吹出口を有し、
前記制御手段は、吹出口モードが、前記デフロスタ吹出口から空気を吹き出すデフロスタモードまたは前記フット吹出口と前記デフロスタ吹出口の両方から空気を吹き出すフット／デフロスタモードの場合、前記第１外気モードを実行しない、または、デフロスタモードおよびフット／デフロスタモード以外の吹出口モードの場合と比較して前記第１外気モードの実行時間を短くすることを特徴とする請求項１または２に記載の車両用空調装置。
【請求項４】
前記制御手段は、外気の相対湿度についての情報を取得し、外気の相対湿度が低いほど外気導入率が低くなるように、取得した外気の相対湿度に応じて前記第１外気モードの外気導入率を設定することを特徴とする請求項１ないし３のいずれか１つに記載の車両用空調装置。
【請求項５】
前記制御手段は、前記第１外気モードを実行する際に、予め設定された所定の外気導入率にて実行し、前記所定の外気導入率として、外気の相対湿度が所定湿度のときに、前記第１外気モードを実行することで、前記蒸発器表面が乾くことで発生する臭いの強度を抑制できるように設定されたものを用いることを特徴とする請求項１ないし３のいずれか１つに記載の車両用空調装置。
【請求項６】
前記制御手段は、前記第１外気モードを実行する際に、予め設定された所定時間実行し、前記所定時間として、前記所定の外気導入率の設定に用いた所定湿度よりも外気の相対湿度が高い場合であっても、前記蒸発器表面が乾くことで発生する臭いの強度を抑制できるように設定されたものを用いることを特徴とする請求項５に記載の車両用空調装置。
【発明の詳細な説明】
【技術分野】
【０００１】
本発明は、車両用空調装置に関するものである。
【背景技術】
【０００２】
特許文献１には、吸込口モードをユーザ操作（マニュアル）によって、内気モードから外気モードへ切り替えるとき、その外気モードの外気導入率を１００％とする車両用空調装置が記載されている。
【先行技術文献】
【特許文献】
【０００３】
【特許文献１】特開２０１３−１６６４６８号公報
【発明の概要】
【発明が解決しようとする課題】
【０００４】
特許文献１の車両用空調装置では、乗員の呼気で相対湿度が高い内気と比べて、外気の相対湿度が低い場合に、吸込口モードを内気モードから外気導入率が１００％の外気モードへ切り替えると、凝縮水で濡れた状態であった蒸発器表面が急激に乾くことで、臭いが強く発生する場合がある。
【０００５】
本発明は上記点に鑑みて、蒸発器表面の凝縮水の蒸発による臭いの悪化を最小限に抑えつつ、ユーザが意図する車室内空間への外気導入を実行することができる車両用空調装置を提供することを目的とする。
【課題を解決するための手段】
【０００６】
上記目的を達成するため、請求項１に記載の発明では、
内気を導入する内気導入口（２１）および外気を導入する外気導入口（２２）を有し、内部に空気通路が形成されたケーシング（１１）と、
ケーシング内に配置され、内気導入口と外気導入口の少なくとも一方からケーシング内に導入された空気と冷媒とを熱交換させて、冷媒を蒸発させるとともに空気を冷却する蒸発器（１３）と、
内気導入口および外気導入口からケーシング内に導入される空気全体に対する外気の風量割合である外気導入率を変化させて、内外気モードを切り替える切替装置（２３）と、
切替装置の作動を制御する制御手段（５０）と、
ユーザによって操作され、ケーシング内に内気を導入する内気モードからケーシング内に外気を導入する外気モードへの内外気モードの切り替えを選択する操作部（６０ｃ）とを備え、
制御手段は、操作部が操作されて内気モードから外気モードへの切り替えが選択された場合に、外気導入率が内気モードよりも高い第１外気モードと外気導入率が第１外気モードよりも高い第２外気モードのうち、第１外気モードを、蒸発器表面が凝縮水で濡れている状態から乾いた状態となるまで実行し、蒸発器表面が乾いた後に、第２外気モードを実行することを特徴としている。
【０００７】
本発明によれば、ユーザ操作によって内気モードから外気モードへの切り替えが選択された場合に、第２外気モードよりも外気導入率が低い第１外気モードを、蒸発器表面が凝縮水で濡れている状態から乾いた状態となるまで実行するので、外気の相対湿度が低い場合に、蒸発器表面が急激に乾くことを防止できる。さらに、蒸発器表面が乾いた後に、第１外気モードよりも外気導入率が高い第２外気モードを実行するので、第１外気モードを実行し続ける場合よりも、車室内空間の空気を早く入れ替えることができる。
【０００８】
よって、本発明によれば、外気の相対湿度が低い場合における蒸発器表面の凝縮水の急激な蒸発を防止して、凝縮水の蒸発による臭いの悪化を最小限に抑えつつ、ユーザが意図する車室内空間への外気導入を実行することができる。
【０００９】
なお、この欄および特許請求の範囲で記載した各手段の括弧内の符号は、後述する実施形態に記載の具体的手段との対応関係を示す一例である。
【図面の簡単な説明】
【００１０】
【図１】第１実施形態における車両用空調装置の全体構成を示す図である。
【図２】第１実施形態における車両用空調装置の電気制御部の構成を示すブロック図である。
【図３】第１実施形態における空調制御装置の処理の一例を示したフローチャートである。
【図４】第１実施形態において、図３のステップＳ６で行われる吸込口モード決定処理を示すフローチャートである。
【図５】第１実施形態と比較例１のそれぞれにおける吸込口モードの切り替え時の臭い強度と時間の関係を示す図である。
【図６】第２実施形態において、図３のステップＳ６で行われる吸込口モード決定処理を示すフローチャートである。
【図７】第２実施形態と比較例１のそれぞれにおける吸込口モードの切り替え時の臭い強度と時間の関係を示す図である。
【図８】第３実施形態において、本発明の第１外気モードの外気導入率および実行時間の設定について説明するための図である。
【図９】第４実施形態において、本発明の第１外気モードの外気導入率および実行時間の設定について説明するための図である。
【図１０】第５実施形態における車両用空調装置の全体構成を示す図である。
【発明を実施するための形態】
【００１１】
以下、本発明の実施形態について図に基づいて説明する。なお、以下の各実施形態相互において、互いに同一もしくは均等である部分には、同一符号を付して説明を行う。
【００１２】
（第１実施形態）
図１に、本実施形態における車両用空調装置１の全体構成を示し、図２に、この車両用空調装置１の電気制御部の構成を示す。本実施形態では、この車両用空調装置１を、内燃機関（エンジン）ＥＧおよび走行用電動モータから車両走行用の駆動力を得るハイブリッド車両に適用している。
【００１３】
まず、本実施形態のハイブリッド車両について説明する。本実施形態のハイブリッド車両は、車両停止時に外部電源（商用電源）から供給された電力を図１のバッテリ８１に充電することのできる、いわゆるプラグインハイブリッド車両として構成されている。このプラグインハイブリッド車両は、車両走行開始前の車両停止時に外部電源からバッテリ８１に充電しておくことによって、走行開始時のようにバッテリ８１の蓄電残量が予め定められた走行用基準残量以上になっているときには、主に走行用電動モータの駆動力によって走行する（以下、この運転モードをＥＶ運転モードという）。
【００１４】
一方、車両走行中にバッテリ８１の蓄電残量が走行用基準残量よりも低くなっているときには、主にエンジンＥＧの駆動力によって走行する（以下、この運転モードをＨＶ運転モードという）。このように、ＥＶ運転モードとＨＶ運転モードとを切り替えることによって、車両走行用の駆動力をエンジンＥＧのみから得る通常の車両に対してエンジンＥＧの燃料消費量を抑制して、車両燃費を向上させている。 
【００１５】
また、エンジンＥＧから出力される駆動力は、車両走行用として用いられるのみならず、図１の発電機８０を作動させるためにも用いられる。そして、発電機８０にて発電された電力および外部電源から供給された電力は、バッテリ８１に蓄えることができ、バッテリ８１に蓄えられた電力は、走行用電動モータのみならず、車両用空調装置１を構成する電動式構成機器をはじめとする各種車載機器に供給できる。 
【００１６】
次に、本実施形態の車両用空調装置１の詳細構成を説明する。車両用空調装置１は、図１に示す室内空調ユニット１０と、図２に示す空調制御装置５０とを備えている。 
【００１７】
図１に示すように、室内空調ユニット１０は、ケーシング１１、送風機１２、蒸発器（エバポレータ）１３、ヒータコア１４、およびＰＴＣヒータ１５等を備え、車室内最前部の計器盤（インストルメントパネル）の内側に配置されている。そして、室内空調ユニット１０は、その外殻を形成するケーシング１１内に送風機１２、蒸発器１３、ヒータコア１４、ＰＴＣヒータ１５等を収容したものである。 
【００１８】
ケーシング１１は、車室内に送風される送風空気の空気通路を内部に形成しており、ある程度の弾性を有し、強度的にも優れた樹脂（例えば、ポリプロピレン）にて成形されている。ケーシング１１内の送風空気流れ最上流側には、内気（車室内空気）と外気（車室外空気）とを切替導入する内外気切替箱２０が配置されている。 
【００１９】
より具体的には、内外気切替箱２０には、ケーシング１１内に内気を導入させる内気導入口２１および外気を導入させる外気導入口２２が形成されている。さらに、内外気切替箱２０の内部には、内気導入口２１および外気導入口２２の開口面積を連続的に調整して、内気導入口２１および外気導入口２２からケーシング１１に導入される空気全体に対する外気の風量割合である外気導入率を変化させる内外気切替ドア２３が配置されている。内外気切替ドア２３は、内外気切替ドア２３用の電動アクチュエータ６２によって駆動され、この電動アクチュエータ６２は、空調制御装置５０から出力される制御信号によって、その作動が制御される。
【００２０】
したがって、内外気切替ドア２３および電動アクチュエータ６２は、外気導入率を変化させて内外気モードを切り替える切替装置を構成している。なお、内気導入口２１および外気導入口２２は、内気を吸い込む内気吸込口および外気を吸い込む外気吸込口とも呼ばれ、内外気モードは、吸込口モードとも呼ばれる。
【００２１】
また、吸込口モードとしては、内気導入口２１を全開とするとともに外気導入口２２を全閉として、ケーシング１１内へ内気を導入する内気モード、内気導入口２１を全閉とするとともに外気導入口２２を全開として、ケーシング１１内へ外気を導入する外気モード、さらに、内気導入口２１および外気導入口２２の開口面積を略同一として、ケーシング１１内へ導入する外気と内気の風量割合をおおよそ半分ずつとする半内気モードがある。したがって、本実施形態では、内気モードは外気導入率が０％であり、外気モードは外気導入率が１００％であり、半内気モードは外気導入率が５０％である。
【００２２】
内外気切替箱２０の空気流れ下流側には、内外気切替箱２０を介して吸入した空気を車室内へ向けて送風する送風機（ブロワ）１２が配置されている。この送風機１２は、ブロワモータ１２１と遠心多翼ファン（シロッコファン）１２２とを備え、遠心多翼ファン１２２をブロワモータ１２１にて駆動する電動の送風装置である。送風機１２は、ケーシング１１に形成された空気吹出口２４〜２６から、温度調整された空調空気を吹き出させる。送風機１２は、空調制御装置５０から出力される制御電圧によって回転数（送風量）が制御される。 
【００２３】
送風機１２の空気流れ下流側には、蒸発器１３が配置されている。蒸発器１３は、圧縮機（コンプレッサ）３１、凝縮器３２、気液分離器３３、および膨張弁３４等とともに、冷凍サイクル３０を構成している。車両用空調装置１は、圧縮機３１、凝縮器３２、気液分離器３３、および膨張弁３４等も備えている。蒸発器１３は、冷凍サイクル３０において圧縮機３１での圧縮後に膨張弁３４によって膨張させられた冷媒を蒸発させ、その冷媒と送風空気とを熱交換させることにより送風空気を冷却する。
【００２４】
圧縮機３１は、エンジンルーム内に配置され、冷凍サイクル３０において冷媒を吸入し、圧縮して吐出するものであり、吐出容量が固定された固定容量型圧縮機構３１ａを電動モータ３１ｂにて駆動する電動圧縮機として構成されている。電動モータ３１ｂは、インバータ６１（図２参照）から出力される交流電圧によって、その作動（回転数）が制御される交流モータである。
【００２５】
また、空調制御装置５０は、図２に示すように、圧縮機３１の目標回転数Ｎｃｔを示す制御信号をインバータ６１へ出力し、インバータ６１は、その制御信号に応じた周波数の交流電圧を出力する。そして、この回転数制御によって、圧縮機３１の冷媒吐出能力が変更される。その一方で、インバータ６１は、圧縮機３１の消費電力Ｗｃｐを示す信号を空調制御装置５０へ出力する。
【００２６】
図１に示す凝縮器３２は、エンジンルーム内に配置されて、内部を流通する冷媒と、室外送風機としての送風ファン３５から送風された車室外空気（外気）とを熱交換させることにより、圧縮された冷媒を凝縮液化させるものである。送風ファン３５は、空調制御装置５０から出力される制御電圧によって稼働率、すなわち、回転数（送風空気量）が制御される電動式送風機である。 
【００２７】
気液分離器３３は、凝縮液化された冷媒を気液分離して液冷媒のみを下流に流すものである。膨張弁３４は、液冷媒を減圧膨張させる減圧手段である。蒸発器１３は、冷媒と送風空気との熱交換により、減圧膨張された冷媒を蒸発気化させるものである。 
【００２８】
また、ケーシング１１内において、蒸発器１３の空気流れ下流側には、蒸発器１３通過後の空気を流す加熱用冷風通路１６、冷風バイパス通路１７といった空気通路、並びに、加熱用冷風通路１６および冷風バイパス通路１７から流出した空気を混合させる混合空間１８が形成されている。 
【００２９】
加熱用冷風通路１６には、蒸発器１３通過後の送風空気すなわち蒸発器１３で冷却された送風空気を加熱する加熱装置としてのヒータコア１４およびＰＴＣヒータ１５が、送風空気流れ方向に向かってこの順で配置されている。
【００３０】
ヒータコア１４は、車両走行用駆動力を出力するエンジンＥＧの冷却水と蒸発器１３通過後の空気とを熱交換させて、蒸発器１３通過後の空気を加熱する加熱用熱交換器である。
【００３１】
具体的には、ヒータコア１４とエンジンＥＧとの間に冷却水流路４１が設けられており、ヒータコア１４とエンジンＥＧとの間を冷却水が循環する冷却水回路４０が構成されている。そして、この冷却水回路４０には、冷却水を循環させるための電動ウォータポンプ４２が設置されている。電動ウォータポンプ４２は、空調制御装置５０から出力される制御電圧によって回転数（冷却水循環量）が制御される電動式の水ポンプである。 
【００３２】
また、ＰＴＣヒータ１５は、ＰＴＣ素子（正特性サーミスタ素子）を有し、このＰＴＣ素子に電力が供給されることによって発熱して、ヒータコア１４通過後の空気を加熱する補助暖房手段としての電気ヒータである。本実施形態のＰＴＣヒータ１５は、複数のＰＴＣヒータから構成されている。具体的には、第１ＰＴＣヒータ１５ａ、第２ＰＴＣヒータ１５ｂ、および第３ＰＴＣヒータ１５ｃから構成されている。空調制御装置５０は、スイッチ切替え等により、通電するＰＴＣヒータ１５の本数を変化させ、それによって複数のＰＴＣヒータ１５全体としての加熱能力が制御される。
【００３３】
図１中の冷風バイパス通路１７は、蒸発器１３通過後の空気を、ヒータコア１４およびＰＴＣヒータ１５を通過させることなく、混合空間１８に導くための空気通路である。したがって、混合空間１８にて混合された送風空気の温度は、加熱用冷風通路１６を通過する空気および冷風バイパス通路１７を通過する空気の風量割合によって変化する。 
【００３４】
そこで、本実施形態では、蒸発器１３の空気流れ下流側であって、加熱用冷風通路１６および冷風バイパス通路１７の入口側に、加熱用冷風通路１６および冷風バイパス通路１７へ流入させる冷風の風量割合を連続的に変化させるエアミックスドア１９を配置している。エアミックスドア１９は、エアミックスドア用の電動アクチュエータによって駆動され、この電動アクチュエータは、空調制御装置５０から出力される制御信号によって、その作動が制御される。エアミックスドア１９は、混合空間１８内の空気温度（車室内へ送風される送風空気の温度）を調整する温度調整手段を構成する。 
【００３５】
さらに、ケーシング１１の送風空気流れ最下流部には、混合空間１８から空調対象空間である車室内へ温度調整された送風空気を吹き出す空気吹出口２４〜２６が配置されている。この空気吹出口２４〜２６としては、具体的に、車室内の乗員の上半身に向けて空調空気を吹き出すフェイス吹出口２４、乗員の足元に向けて空調空気を吹き出すフット吹出口２５、および、車両前面窓ガラス７４の内側面７４ａに向けて空調空気を吹き出すデフロスタ吹出口２６が設けられている。 
【００３６】
また、フェイス吹出口２４、フット吹出口２５、およびデフロスタ吹出口２６の空気流れ上流側には、それぞれ、フェイス吹出口２４の開口面積を調整するフェイスドア２４ａ、フット吹出口２５の開口面積を調整するフットドア２５ａ、デフロスタ吹出口２６の開口面積を調整するデフロスタドア２６ａが配置されている。 
【００３７】
これらのフェイスドア２４ａ、フットドア２５ａ、デフロスタドア２６ａは、図示しないリンク機構を介して、吹出口モードドア駆動用の電動アクチュエータ６４に連結されて連動して回動操作される。この電動アクチュエータ６４も、空調制御装置５０から出力される制御信号によってその作動が制御される。このように、フェイスドア２４ａ、フットドア２５ａ、デフロスタドア２６ａ、および電動アクチュエータ６４は、各空気吹出口２４、２５、２６の開口面積をそれぞれ調整する吹出口調整装置を構成している。
【００３８】
また、吹出口モードとしては、フェイス吹出口２４を全開してフェイス吹出口２４から車室内乗員の上半身に向けて空気を吹き出すフェイスモード（ＦＡＣＥ）、フェイス吹出口２４とフット吹出口２５の両方を開口して車室内乗員の上半身と足元に向けて空気を吹き出すバイレベルモード（Ｂ／Ｌ）、フット吹出口２５を全開するとともにデフロスタ吹出口２６を小開度だけ開口して、フット吹出口２５から主に空気を吹き出すフットモード（ＦＯＯＴ）、デフロスタ吹出口２６を全開してデフロスタ吹出口２６から空気を吹き出すデフロスタモード（ＤＥＦ）、およびフット吹出口２５およびデフロスタ吹出口２６を同程度開口して、フット吹出口２５およびデフロスタ吹出口２６の双方から空気を吹き出すフット／デフロスタモード（Ｆ／Ｄ）がある。 
【００３９】
次に、図２により、本実施形態の電気制御部について説明する。空調制御装置５０は、ＣＰＵ、ＲＯＭおよびＲＡＭ等を含む周知のマイクロコンピュータとその周辺回路から構成され、そのＲＯＭ内に記憶された空調制御プログラムに基づいて各種演算、処理を行い、出力側に接続された各種機器の作動を制御する。 
【００４０】
空調制御装置５０の出力側には、送風機１２、圧縮機３１の電動モータ３１ｂ用のインバータ６１、室外ファンとしての送風ファン３５、内外気切替ドア（内外気切替ドアダンパ）２３用の電動アクチュエータ６２、吹出口モードドア（吹出口ダンパ）２４ａ、２５ａ、２６ａ用の電動アクチュエータ６４、各ＰＴＣヒータ１５ａ、１５ｂ、１５ｃ、および電動ウォータポンプ４２等が接続されている。
【００４１】
また、空調制御装置５０の入力側には、車室内温度Ｔｒを検出する内気センサ５１、外気温Ｔａｍを検出する外気センサ５２（外気温検出手段）、車室内の日射量Ｔｓを検出する日射センサ５３、および、圧縮機３１の吐出冷媒圧力Ｐｃを検出する冷媒圧力センサである吐出圧力センサ５５（吐出圧力検出手段）等のセンサ群が接続されている。
【００４２】
また、空調制御装置５０の入力側には、これらの図２に示すセンサ群の他に、圧縮機３１の吐出冷媒温度Ｔｃを検出する吐出温度センサ（吐出温度検出手段）、蒸発器１３からの吹出空気温度（蒸発器温度）ＴＥを検出する蒸発器温度センサ（蒸発器温度検出手段）、圧縮機３１に吸入される冷媒の温度Ｔｓｉを検出する吸入温度センサ、および、エンジンＥＧから流出したエンジン冷却水の冷却水温度ＴＷを検出する冷却水温度センサ（冷却水温度検出手段）等の不図示のセンサ群も接続されている。 
【００４３】
なお、上記蒸発器温度センサは、具体的に蒸発器１３の熱交換フィン温度を検出している。もちろん、その蒸発器温度センサは、蒸発器１３のその他の部位の温度を検出してもよいし、蒸発器１３を流通する冷媒自体の温度を直接検出してもよい。
【００４４】
さらに、空調制御装置５０の入力側には、車室内前部の計器盤付近に配置された操作パネル６０に設けられた各種空調操作スイッチからの操作信号が入力される。操作パネル６０には、各種空調操作スイッチとして、具体的に、車両用空調装置１の作動スイッチ（図示せず）、エアコンのオン・オフ（具体的には圧縮機３１のオン・オフ）を切り替えるエアコンスイッチ６０ａ、オートスイッチ６０ｂ、運転モードの切替スイッチ（図示せず）、吸込口モードを切り替える吸込口モードスイッチ６０ｃ、吹出口モードを切り替える吹出口モードスイッチ（図示せず）、送風機１２の風量設定スイッチ（図示せず）、乗員の操作によって車室内の目標温度Ｔｓｅｔを設定する車室内温度設定スイッチ（図示せず）等が設けられている。オートスイッチ６０ｂは、乗員の操作によって車両用空調装置１の自動制御を設定あるいは解除する自動制御設定手段である。
【００４５】
吸込口モードスイッチ６０ｃは、乗員（ユーザ）の操作によって内気モードと外気モードの２種類の吸込口モードの切り替えを選択する操作部を構成している。吸込口モードスイッチ６０ｃが乗員によって操作されることで、内気モードから外気モードへの切り替えと外気モードから内気モードへの切り替えとが選択される。
【００４６】
また、本実施形態では、操作パネル６０は、車両用空調装置１の作動状態を表示する表示部６０ｄを有しており、この表示部６０ｄに、吸込口モードスイッチ６０ｃで選択された吸込口モード等が表示される。
【００４７】
また、空調制御装置５０は、エンジンＥＧの作動を制御するエンジンコンピュータであるエンジン制御装置９０に電気的に接続されており、空調制御装置５０およびエンジン制御装置９０は互いに電気的に通信可能に構成されている。これにより、一方の制御装置に入力された検出信号あるいは操作信号に基づいて、他方の制御装置が出力側に接続された各種機器の作動を制御することもできる。例えば、空調制御装置５０がエンジン制御装置９０へエンジンＥＧの作動要求信号を出力することによって、エンジンＥＧを作動させることができる。また、空調のためにエンジンＥＧが作動している場合には、空調制御装置５０がエンジンＥＧの作動要求信号を出力しないことによって、エンジンＥＧを停止させることができる。 
【００４８】
なお、空調制御装置５０およびエンジン制御装置９０は、その出力側に接続された各種制御対象機器を制御する制御手段が一体に構成されたものであるが、それぞれの制御対象機器の作動を制御する構成（ハードウェアおよびソフトウェア）が、それぞれの制御対象機器の作動を制御する制御手段を構成している。例えば、空調制御装置５０のうち、内外気切替ドア２３の作動を制御する構成が、吹出口モードの切り替えを制御する制御手段を構成している。
【００４９】
次に、空調制御装置５０による制御を、図３を用いて説明する。図３は、空調制御装置５０の処理の一例を示したフローチャートである。まず、イグニッションスイッチがオンされて、空調制御装置５０に直流電源が供給されると、予めメモリに記憶されている制御プログラムが実行される。イグニッションスイッチがオンされた時は、ユーザの操作によって車両が駐車状態から走行可能な走行状態になった時である。
【００５０】
ステップＳ１では、空調制御装置５０内部のマイクロコンピュータに内蔵されたデータ処理用メモリの記憶内容等を初期化（イニシャライズ）し、ステップＳ２に進む。ステップＳ２では、操作パネル６０の操作信号（スイッチ信号）を読み込んでステップＳ３へ進む。具体的な操作信号としては、車室内温度設定スイッチによって設定される車室内目標温度Ｔｓｅｔの設定信号、オートスイッチ６０ｂの操作信号、吸込口モードスイッチ６０ｃの操作信号等がある。
【００５１】
次に、ステップＳ３では、各種センサからのセンサ信号を読込み、ステップＳ４に進む。なお、ステップＳ２、Ｓ３では、各種データがデータ処理用メモリに読み込みこまれる。センサ信号としては、例えば、内気センサ５１が検知する内気温度（車室内温度）Ｔｒ、外気センサ５２が検知する外気温度Ｔａｍ、日射センサ５３が検知する日射量Ｔｓ、蒸発器後温度センサが検知する蒸発器後温度（Ｔｅ）、および冷却水温センサが検知するエンジン冷却水温Ｔｗがある。
【００５２】
ステップＳ４では、予め記憶している下記の数式Ｆ１に入力データを代入して目標吹出温度ＴＡＯを演算し、ステップＳ５に進む。
ＴＡＯ＝Ｋｓｅｔ×Ｔｓｅｔ−Ｋｒ×Ｔｒ−Ｋａｍ×Ｔａｍ−Ｋｓ×Ｔｓ＋Ｃ  …（Ｆ１）
ここで、Ｔｓｅｔは、温度設定スイッチにて設定された設定温度、Ｔｒは内気温度、Ｔａｍは外気温度、Ｔｓは日射量である。また、Ｋｓｅｔ、Ｋｒ、ＫａｍおよびＫｓは各ゲインであり、Ｃは全体にかかる補正用の定数である。そして、この目標吹出温度ＴＡＯおよび上記各種センサからの信号により、エアミックスドア１９のアクチュエータの制御値および電動ウォータポンプ４２の回転数の制御値等を算出する。
【００５３】
ステップＳ５では、ブロワ電圧を決定する処理を実施する。ブロワ電圧は、ブロワモータ１２１に印加される電圧であり、ブロワ電圧に応じて吹出風量が変更される。ブロワ電圧決定処理は、目標吹出温度ＴＡＯおよび上記各種センサや操作パネル６０からの信号に基づいて、ブロワ電圧を決定する処理である。ブロワ電圧決定処理として、例えば、特許文献１や特開２０１４−２８５３２号公報に記載のブロワ電圧決定処理と同じ処理を実施することができる。
【００５４】
次に、ステップＳ６では、吸込口モード決定処理を実施する。吸込口モード決定処理は、目標吹出温度ＴＡＯおよび上記各種センサや操作パネル６０からの信号に基づいて、吸込口モードを決定する処理である。吸込口モード決定処理の詳細については後述する。
【００５５】
次に、ステップＳ７では、吹出口モード決定処理を実施する。吹出口モード決定処理は、目標吹出温度ＴＡＯおよび操作パネル６０からの信号に基づいて、車室内に空調風を吹き出す吹出口を決定する処理である。例えば、吹出口モード制御がオートの場合、予め記憶された制御マップに従って、目標吹出温度ＴＡＯに応じて、吹出口モードをＦＡＣＥ、Ｂ／Ｌ、ＦＯＯＴのいずれかに決定する。
【００５６】
次に、ステップＳ８では、圧縮機回転数決定処理を実施する。圧縮機回転数決定処理は、目標蒸発器温度ＴＥＯ等に基づいて、圧縮機の回転数を決定する処理である。圧縮機回転数決定処理として、例えば、特許文献１や特開２０１４−２８５３２号公報に記載の圧縮機回転数決定処理と同じ処理を実施することができる。
【００５７】
次に、ステップＳ９では、ＰＴＣ作動本数決定処理を実施する。ＰＴＣ作動本数決定処理は、電気ヒータを構成するＰＴＣヒータ１５（単にＰＴＣともいう）の作動本数を決定する処理である。例えば、特許文献１や特開２０１４−２８５３２号公報と同様に、ＰＴＣヒータ１５の作動本数は、予め記憶された制御マップに従って決定され、エンジン冷却水温Ｔｗが低いほど多くされる。
【００５８】
次に、ステップＳ１０では、要求水温決定処理を実施する。要求水温決定処理は、例えば、特許文献１や特開２０１４−２８５３２号公報と同様に、エンジン冷却水を暖房および防曇等の熱源にするため、目標吹出温度ＴＡＯ等に基づいて、エンジン冷却水の要求水温を決定する。そして、そのエンジン冷却水の要求水温に基づいて、エンジン制御装置９０に対してエンジンＥＧの始動を要求するエンジンオン要求の要否を決定する。
【００５９】
次に、ステップＳ１１では、電動ウォータポンプ作動決定処理を実施する。電動ウォータポンプ作動決定処理は、エンジン冷却水温Ｔｗ等に基づいて、電動ウォータポンプ４２（図１参照）のオンオフを決定する処理である。電動ウォータポンプ作動決定処理として、例えば、特許文献１や特開２０１４−２８５３２号公報に記載の電動ウォータポンプ作動決定処理と同じ処理を実施することができる。
【００６０】
次に、ステップＳ１２では、目標蒸発器温度ＴＥＯの決定処理を実施する。この目標蒸発器温度ＴＥＯは蒸発器温度ＴＥの目標温度である。目標蒸発器温度ＴＥＯの決定処理は、ステップＳ４（図３参照）で決定した目標吹出温度ＴＡＯに基づいて、目標蒸発器温度ＴＥＯを決定する処理である。この処理として、例えば、特開２０１４−２８５３２号公報に記載の処理と同様の処理を実施することができる。
【００６１】
次に、ステップＳ１３では、上記各ステップＳ４〜Ｓ１２で算出または決定された各制御状態が得られるように、各種アクチュエータおよびエンジン制御装置９０等に対して制御信号を出力する。また、操作パネル６０に対して制御信号を出力し、操作パネル６０の表示部６０ｄの表示を切り替える。
【００６２】
次に、ステップＳ１４では、制御周期Ｔの間待機し、制御周期Ｔの経過を判定するとステップＳ２に戻るようになっている。なお、本実施形態は制御周期Ｔを２５０ｍｓとしている。これは、車室内の空調制御は、エンジン制御等と比較して遅い制御周期であってもその制御性に悪影響を与えないからである。これにより、車両内における空調制御のための通信量を抑制して、エンジン制御等のように高速制御を行う必要のある制御系の通信量を十分に確保することができる。
【００６３】
次に、ステップＳ６の吸込口モード決定処理について説明する。ステップＳ６は、図４に示すフローチャートに従って実行される。
【００６４】
図４に示すように、ステップＳ６０１では、吸込口モード制御がオートか否かを判定する。具体的には、オートスイッチ６０ｂがオンされているか否かを判定する。
【００６５】
オートスイッチ６０ｂがオンされており、吸込口モード制御がオートの場合、ステップＳ６０２へ進み、予め空調制御装置５０に記憶されたステップＳ６０２に示す制御マップを用い、目標吹出温度ＴＡＯに基づいて、吸込口モードを決定する。これにより、目標吹出温度ＴＡＯに応じて、外気モード、半内気モード、内気モードのいずれかが実行される。一方、オートスイッチ６０ｂがオンでなく、吸込口モード制御がマニュアルの場合、ステップＳ６０３に進む。
【００６６】
ステップＳ６０３では、マニュアルで内気モードから外気モードへ変更されたか否かを判定する。内気モードから外気モードへ変更されていない場合、すなわち、吸込口モードスイッチ６０ｃの操作で内気モードが選択されている場合、ステップＳ６０４に進む。ステップＳ６０４では、吸込口モードの表示を内気モードに決定し、次のステップＳ６０５で、吸込口モードを内気モードに決定する。これにより、表示部６０ｄに内気モードが表示されるとともに、内気モードが実行される。
【００６７】
一方、内気モードから外気モードへ変更された場合、すなわち、吸込口モードスイッチ６０ｃの操作により内気モードから外気モードへの切り替えが選択された場合、ステップＳ６０６に進む。
【００６８】
ステップＳ６０６では、吸込口モードの表示を外気モードに決定する。これにより、表示部６０ｄに外気モードが表示される。
【００６９】
続いて、ステップＳ６０７では、吹出口モードがデフロスタモード（ＤＥＦ）またはフット／デフロスタモード（Ｆ／Ｄ）であるか否かを判定する。吹出口モードがそれら以外の場合、ステップＳ６０８に進み、吸込口モードを半内気モードに決定する。これにより、半内気モードが実行される。
【００７０】
ここで、図５に、内気モードから半内気モードへ切り替えたときの臭い強度と時間の関係を示す（図５中の第１実施形態）。図５には、比較例１として、内気モードから外気モードに切り替えたときの臭い強度と時間の関係も合わせて示している。
【００７１】
乗員の呼気で相対湿度が高い内気と比べて、外気の相対湿度が低い場合に、図５中の比較例１に示すように、吸込口モードを内気モードから外気導入率が１００％の外気モードへ切り替えると、蒸発器表面が急激に乾くことで、臭いが強く発生してしまう。ちなみに、この臭いは、外気モードに切り替えられた時点から時間の経過とともに蒸発器表面が乾いていくことで徐々に発生し、蒸発器表面が乾ききる直前から臭い強度が増大し始め（図５中の比較例１のａ点参照）、乾ききる瞬間に臭いが最も強くなる（図５中の比較例１のｂ点参照）。なお、乾ききるとは、完全に乾いた状態を意味する。
【００７２】
これに対して、本実施形態では、外気導入率が５０％の半内気モードを実行するので、外気の相対湿度が低い場合であっても、蒸発器表面が急激に乾くことを防止でき、図５に示すように、臭いが強く発生することを防止できる。
【００７３】
すなわち、外気の相対湿度が低い場合、半内気モードでは、相対湿度が低い外気と外気よりも相対湿度が高い内気の両方がケーシング１１内に吸い込まれることで、蒸発器１３に向かう送風空気の相対湿度が外気よりも高くなる。このため、半内気モードの場合、外気モードの場合と比較して、凝縮水で濡れている蒸発器表面がゆっくりと乾いていくので、図５に示すように、蒸発器表面が乾ききるときに発生する臭いの強度を弱めることができる（図５中の第１実施形態のｂ点参照）。
【００７４】
ただし、外気モードよりも外気導入率が低い半内気モードを実行し続けると、車室内空間の空気の入れ替え（換気）に時間がかかってしまう。そこで、以下のステップを実行する。
【００７５】
ステップＳ６０９では、吸込口モードが内気モードから半内気モードに変更されたときから所定時間が経過したか否かを判定する。具体的には、半内気モードの実行開始からの経過時間をタイマーによって計測し、その経過時間を所定時間と比較して判定する。本実施形態では、この所定時間は１０分である。所定時間が経過していない場合、ステップＳ６１０に進み、吸込口モードを半内気モードに保持する。一方、所定時間が経過した場合、ステップＳ６１１に進み、吸込口モードを外気モードに変更する。これにより、半内気モードの実行開始から所定時間経過後に、外気モードが実行される。
【００７６】
ここで、ステップＳ６０９で用いる所定時間とは、臭いが実質的に消えたと判断できる時間であり、乾ききる瞬間（図５中の第１実施形態のｂ点）を超えた時間となるように設定される。本実施形態では、この所定時間として予め設定されたものを用いる。すなわち、この所定時間は固定値である。このため、外気の相対湿度に関わらず、乾ききる瞬間を超えて半内気モードが実行されるように、外気の相対湿度が種々の場合において、乾ききる瞬間を超えるまでに必要な時間を実験や経験等によって求めておき、これらの時間のうち、最長となる時間を上記した所定時間として用いる。
【００７７】
したがって、蒸発器表面が凝縮水で濡れた状態から乾いた状態となるまで、半内気モードが実行された後、換気したいというユーザの意図に沿う外気導入率が高い外気モードが実行される。このため、半内気モードを実行し続ける場合よりも、車室内空間の空気を早く入れ替えることができる。
【００７８】
また、ステップＳ６０７において、吹出口モードがＤＥＦまたはＦ／Ｄである場合、ステップＳ６１１に進み、臭いの抑制よりも防曇性の確保を優先するために、吸込口モードを外気モードに決定する。これにより、半内気モードの実行中に、吹出口モードがＤＥＦまたＦ／Ｄになったときでは、上記した所定時間が経過する前に、半内気モードから外気モードに切り替えられる。また、吹出口モードがＤＥＦまたはＦ／Ｄのときに、ユーザが吸込口モードを内気モードから外気モードへ設定変更した場合では、半内気モードは実行されず、外気モードが実行される。したがって、吹出口モードがＤＥＦまたはＦ／Ｄのときでは、吹出口モードがＤＥＦとＦ／Ｄ以外のとき比較して、車室内空間における内気と外気の換気量を増大でき、防曇性を向上できる。
【００７９】
以上の説明の通り、本実施形態では、空調制御装置５０は、図４のステップＳ６０８、Ｓ６０９、Ｓ６１１にて、ユーザの選択スイッチの操作により内気モードから外気モードへの切り替えが選択されたとき、蒸発器表面が凝縮水で濡れている状態から乾いた状態となるまで、半内気モードを実行し、蒸発器表面が乾いた後に、外気モードを実行する。これにより、外気の相対湿度が低い場合における蒸発器表面の凝縮水の急激な蒸発を防止して、凝縮水の蒸発による臭いの悪化を最小限に抑えつつ、ユーザが意図する車室内空間への外気導入を実行することができる。なお、本実施形態において、半内気モードは、内気モードよりも外気導入率が高いので、本発明の第１外気モードに相当する。外気モードは、半内気モードよりも外気導入率が高いので、本発明の第２外気モードに相当する。
【００８０】
ただし、空調制御装置５０は、図４のステップＳ６０７、Ｓ６１１にて、吹出口モードがＤＥＦまたＦ／Ｄの場合では、半内気モードを実行しない、もしくは、半内気モードの実行中であれば、吹出口モードがＤＥＦとＦ／Ｄ以外の場合と比較して、半内気モードの実行時間を短くする。これにより、吹出口モードがＤＥＦまたはＦ／Ｄの場合では、高い防曇性を確保でき、走行の安全性を確保できる。
【００８１】
（第２実施形態）
本実施形態は、第１実施形態の車両用空調装置１に対して、空調制御装置５０が実施するステップＳ６の吸込口モード決定処理の一部を変更したものである。図６に示すように、本実施形態では、第１実施形態と同様に、ステップＳ６０１〜ステップＳ６０７を行い、第１実施形態のステップＳ６０８、Ｓ６０９の替わりに、ステップＳ６２１、Ｓ６２２、Ｓ６２３、Ｓ６２４を行う。
【００８２】
すなわち、ステップＳ６０７で、吹出口モードがＤＥＦやＦ／Ｄ以外の場合、ステップＳ６２１に進み、吸込口モードを外気モードに決定する。これにより、外気モードが実行される。
【００８３】
続いて、ステップＳ６２２では、吸込口モードが内気モードから外気モードに変更されたときから第１所定時間を判定する。具体的には、外気モードの実行開始からの経過時間をタイマーによって計測し、その経過時間を第１所定時間と比較して判定する。本実施形態では、第１所定時間は２分である。第１所定時間が経過していない場合、ステップＳ６１０に進み、吸込口モードを外気モードに保持し、第１所定時間が経過した場合、ステップＳ６２３に進み、吸込口モードを半内気モードに決定する。
【００８４】
これにより、ユーザが吸込口モードスイッチ６０ｃを操作して内気モードから外気モードへの切り替えを選択した場合に、先に外気モードを実行することで、車室内の空気を早期に入れ替えることができる。
【００８５】
ただし、第１所定時間は、車室内の空気を入れ替えつつ、蒸発器が乾ききって強い臭いが発生しない時間に設定する必要がある。このため、第１所定時間として予め設定されたもの（固定値）を用いる場合、外気の相対湿度に関わらず、蒸発器が乾ききる前に半内気モードに切り替えられるように、外気の相対湿度が種々の場合において、蒸発器が乾ききるまでの時間を実験や経験等によって求めておき、これらの時間から最短となる時間を上記した第１所定時間として用いる。
【００８６】
また、ステップＳ６２３により、吸込口モードとして半内気モードが実行される。これにより、第１実施形態のステップＳ６０８での説明と同様に、外気の相対湿度が低い場合であっても、蒸発器表面が急激に乾くことを防止でき、図７に示すように、臭いが強く発生することを防止できる。なお、図７は、内気モードから外気モードを経て半内気モードへ切り替えたときの臭い強度と時間の関係を示しており（図７中の第２実施形態）、比較例１の臭い強度と時間の関係も合わせて示している。
【００８７】
続いて、ステップＳ６２４では、吸込口モードが外気モードから半内気モードに変更されたときから第２所定時間が経過したか否かを判定する。本実施形態では、第２所定時間は８分である。この第２所定時間は、予め固定値として設定されるものであり、第１実施形態のステップＳ６０９の所定時間と同様に設定されるものである。ただし、本実施形態では、半内気モードを実行する前に、外気モードを実行するので、第２所定時間は、第１実施形態のＳ６０９の所定時間よりも短く設定される。
【００８８】
そして、第２所定時間が経過していない場合、ステップＳ６１０に進み、吸込口モードを半内気モードに維持する。一方、所定時間が経過した場合、ステップＳ６１１に進み、吸込口モードを外気モードに変更する。これにより、半内気モードの実行開始から第２所定時間経過後に、外気モードが実行される。
【００８９】
以上の説明の通り、本実施形態では、空調制御装置５０が、図６のステップＳ６２１、Ｓ６２２にて、ユーザの吸込口モードスイッチ６０ｃの操作により内気モードから外気モードへの切り替えが選択されたとき、蒸発器表面が凝縮水で濡れている状態が維持される期間内に、外気モードを実行する。その後、図６のステップＳ６２３、Ｓ６２４、Ｓ６１１にて、蒸発器表面が凝縮水で濡れている状態から乾いた状態となるまで、半内気モードを実行し、蒸発器表面が乾いた後に、外気モードを実行する。
【００９０】
これによると、ユーザの操作時にまず外気モードを実行するので、車室内の空気を入れ替えることで、乗員の要望を満たすことができる。その後、半内気モードを実行した後、外気モードを実行するので、第１実施形態と同様の効果を奏する。
【００９１】
（第３実施形態）
第１、第２実施形態では、本発明における第１外気モードとして、外気導入率が５０％である半内気モードを実行したが、本実施形態では、第１外気モードの外気導入率を３０％とする。このように、本発明における第１外気モードの外気導入率は、５０％に限られず、内気モードよりも外気導入率が高く、第２外気モードよりも外気導入率が低ければ、他の数値であってもよい。
【００９２】
すなわち、空調制御装置は、第１外気モードを実行する際に、予め設定された所定の外気導入率にて第１外気モードを実行すればよい。この所定の外気導入率は、外気の相対湿度が基準となる所定湿度のときに、第１外気モードを実行することで、臭いの強さを抑制できるように設定されるものである。
【００９３】
ここで、吸込口モードを内気モードから外気モードに切り替えたとき、外気の相対湿度が低いほど、蒸発器表面が急激に乾きやすい。このため、外気の相対湿度が低いほど、第１外気モードの外気導入率を低く設定する必要がある。そこで、第１外気モードの外気導入率は、外気の相対湿度が低いときを基準とし、その基準となる所定湿度のときに、臭いの強さを抑制できるように、外気導入率を設定すればよい。基準となる所定湿度としては、車両が使用される地域の平均的な湿度もしくはそれよりも低い湿度等を用いればよい。
【００９４】
そして、空調制御装置５０は、第１外気モードを実行する際に、予め設定された所定時間、第１外気モードを実行する。この所定時間は、上記した第１外気モードの外気導入率の設定に用いた基準となる所定湿度よりも外気の相対湿度が高い場合であっても、臭いの発生を抑制できるように設定されたものである。
【００９５】
例えば、図８に示すように、外気の相対湿度が３０％のときと８０％のときでは、３０％のときの方が、蒸発器表面が急激に乾きやすい。そこで、外気の相対湿度が３０％のときを基準とし、この基準のときに、外気モードとして第１外気モードを実行することで、臭い強度をレベル１、すなわち、人がかすかに臭いを感じるレベル以下に抑制できるように、第１外気モードの外気導入率を３０％に設定する。そして、外気の相対湿度が８０％のときにおいても、外気導入率を３０％に設定して第１外気モードを実行したときに、臭い強度をレベル１以下に抑制できるように、第１外気モードを実行する時間を実験や経験等によって求めることにより、所定時間を設定すればよい。
【００９６】
（第４実施形態）
第１、第２実施形態では、第１外気モードの外気導入率は、外気の相対湿度に関わらず、常に同じ値（固定値）であったが、本実施形態では、外気の相対湿度に応じて、第１外気モードの外気導入率を変更する。
【００９７】
具体的には、空調制御装置５０は、外気の相対湿度についての情報を取得可能となっている。例えば、車両用空調装置１は、外気の相対湿度を検出する図示しないセンサを備え、センサの検出結果が空調制御装置５０に入力されるようになっている。なお、空調制御装置５０は、外部通信装置との間での無線通信によって、外気の相対湿度についての情報を取得するようになっていてもよい。
【００９８】
そして、空調制御装置５０は、外気の相対湿度についての情報を取得したとき、外気の相対湿度が低いほど外気導入率を低くするという関係に基づいて、取得した外気の相対湿度に応じて第１外気モードの外気導入率を設定する。第３実施形態での説明の通り、吸込口モードを内気モードから外気モードに切り替えたとき、外気の相対湿度が低いほど、蒸発器表面が急激に乾きやすい。このため、外気の相対湿度が低いほど、第１外気モードの外気導入率を低く設定する。なお、上記した関係は、実験や経験等によって予め求められるものである。また、第１外気モードを実行する時間は、外気の相対湿度に関わらず、同一の時間に設定する。
【００９９】
図９に示すように、例えば、外気の相対湿度が３０％のときでは、蒸発器表面が急激に乾きやすいので、臭い強度をレベル１以下に抑えられるように、空調制御装置５０は、第１外気モードの外気導入率を３０％に設定する。一方、外気の相対湿度が８０％のときでは、空調制御装置５０は、時間に対する臭い強度の変化が外気の相対湿度が３０％のときと同じとなるように、第１外気モードの外気導入率を６０％に設定する。このように、外気の相対湿度が高いときでは、外気の相対湿度が低いときよりも、第１外気モードの外気導入率を高くしても、外気の相対湿度が低いときと蒸発器表面の乾き速度を同じにでき、臭い強度をレベル１以下に抑えることができる。
【０１００】
要するに、空調制御装置５０は、外気の相対湿度に関わらず、蒸発器表面が凝縮水で濡れている状態から乾いた状態となるまでの速度が同じとなるように、外気の相対湿度に応じて外気導入率を変更すればよい。これにより、第１実施形態と同様の効果が得られる。
【０１０１】
（第５実施形態）
図１０は、本実施形態における車両用空調装置１の全体構成を示した図であり、図１に相当する図である。本実施形態では、車両用空調装置１を、内燃機関を有さず走行用電動モータから車両走行用の駆動力を得る電気自動車に適用している。そのため、図１に示すように、エンジンＥＧ（図１参照）等に替えて、水加熱ヒータ８２が設けられている。その水加熱ヒータ８２は、不図示の電源から電力供給を受けて、ヒータコア１４を循環する熱媒体を加熱する。その熱媒体は、第１実施形態のエンジン冷却水に相当する液体である。
【０１０２】
また、本実施形態の車両用空調装置１では、第１実施形態とは異なり、電動アクチュエータ６４は、デフロスタドア２６ａと機械的に連結されていない。すなわち、電動アクチュエータ６４は、フェイスドア２４ａおよびフットドア２５ａと機械的に連結されており、それらのドア２４ａ、２５ａを開閉作動させる。そのため、車両用空調装置１は、電動アクチュエータ６４とは別の電動アクチュエータ６５を備えている。その電動アクチュエータ６５は、デフロスタドア２６ａと機械的に連結されており、空調制御装置５０から出力される制御信号に従ってデフロスタドア２６ａを開閉作動させる。従って、デフロスタドア２６ａは、フェイスドア２４ａおよびフットドア２５ａに対して別個に開閉作動させられる。
【０１０３】
（他の実施形態）
本発明は上記した実施形態に限定されるものではなく、下記のように、特許請求の範囲に記載した範囲内において適宜変更が可能である。
【０１０４】
（１）上記した各実施形態では、外気モード（本発明の第２外気モード）の外気導入率を１００％としたが、９０％等の１００％よりも低い数値としてもよい。また、上記した各実施形態では、内気モードの外気導入率を０％としたが、０％よりも高い数値としてもよい。したがって、内気モードは、主に内気を導入する内外気モードであって、外気導入率が最も低い内外気モードであり、外気モードは、少なくとも外気を導入する内外気モードであって、内気モードよりも外気導入率が高い内外気モードであると言える。
【０１０５】
（２）上記した各実施形態において、室内空調ユニット１０はＰＴＣヒータ１５を備えているが、ＰＴＣヒータ１５は無くても差し支えない。
【０１０６】
（３）第１〜第４実施形態において、車両用空調装置１が搭載される車両はハイブリッド車両であるが、走行用電動モータを備えていない単なるエンジン車両であっても差し支えない。また、車両用空調装置１が搭載される車両が上記エンジン車両であれば、圧縮機３１は電動である必要はなく、エンジンＥＧにより駆動されてもよい。
【０１０７】
（４）上記した各実施形態において、空調制御装置５０とエンジン制御装置９０とは各々別個の制御装置として構成されているが、空調制御装置５０とエンジン制御装置９０とが一体として１つの制御装置を構成していても差し支えない。
【０１０８】
（５）上記した各実施形態において、図３、図４および図５のフローチャートに示す各ステップの処理は、それぞれの機能を実現する手段を構成している。また、上記した各実施形態において、フローチャートに示す各ステップの処理は、コンピュータプログラムによって実現されるものであるが、ハードロジックで構成されるものであっても差し支えない。
【０１０９】
（６）上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【符号の説明】
【０１１０】
１１    ケーシング
１３    蒸発器
２１    内気導入口
２２    外気導入口
２３    内外気切替ドア（切替装置）
５０    空調制御装置（制御手段）
６０ｃ  吸込口モードスイッチ（操作部）
【図１】
2015196450.tif 000003
【図２】
2015196450.tif 000004
【図３】
2015196450.tif 000005
【図４】
2015196450.tif 000006
【図５】
2015196450.tif 000007
【図６】
2015196450.tif 000008
【図７】
2015196450.tif 000009
【図８】
2015196450.tif 000010
【図９】
2015196450.tif 000011
【図１０】
2015196450.tif 000012